(57)【要約】【課題】携帯電話の背景画像や着信音など、複数の設定を一括変更させる。【解決手段】ＲＦＩＤリーダを携帯電話に持たせ、所定の操作や状態に置くことでＲＦＩＤリーダを起動させ、近接した位置にあるＲＦＩＤタグを読み取る。読み取ったＲＦＩＤタグのデータにて内部のデータベースを検索し、予め対応付けされている機能を設定する。【選択図】図３
2007329859.tif 000002
【特許請求の範囲】
【請求項１】
情報タグから非接触にて固有識別情報を読み取る情報タグ読み取り部と、
複数の機能設定項目の設定状態の組み合わせを前記固有識別情報と対応付けて少なくとも一つ以上記憶する設定情報記憶部と、
前記情報タグ読み取り部から得られた前記固有識別情報に対応する前記設定状態の組み合わせに基づいて、機能設定を一括して変更する制御部と
を含むことを特徴とする携帯型電子機器。
【請求項２】
前記携帯型電子機器は更に、
外部電源が接続される外部電源端子と、
二次電池と、
前記外部電源から前記外部電源端子を通じて供給される電力を前記二次電池に適切に供給すると共に、前記外部電源端子の接続状態を前記制御部に通知する充電回路と
を備え、
前記制御部は、前記充電回路から前記外部電源が前記外部電源端子に接続された旨の通知を受けて、前記情報タグ読み取り部を起動することを特徴とする、請求項１記載の携帯型電子機器。
【請求項３】
情報タグから非接触にて固有識別情報を読み取り、
得られた前記固有識別情報に応じて、予め前記固有識別情報に対応して記憶されている複数の機能設定項目の設定状態の一つ以上の組み合わせに基づいて、前記複数の機能設定を一括して変更する
ことを特徴とする、携帯型電子機器の機能設定変更方法。
【発明の詳細な説明】
【技術分野】
【０００１】
本発明は、携帯型電子機器に適用して好適な技術に関する。
より詳細には、携帯電話のＬＣＤ画面表示やマナーモードなど、各種機能の設定を一括して切り替えられる技術に関する。
【背景技術】
【０００２】
現在の携帯電話端末は、その殆どが大画面のＬＣＤ表示画面と高品質なＭＩＤＩデータ或はオーディオデータの再生機能を備えている。それ故、ＬＣＤ表示画面においては待ち受け画面にユーザの好みに応じた画像を表示させたり、着信音として好みの音楽を再生させたりするといった、ユーザが趣味趣向を携帯電話端末に設定することが常態化している。
しかし、必ずしもその趣味趣向によって設定される機能がいかなる状況下においても利用できるとは限らない。電車内ではマナーモードに設定しなければならないし、職場においては派手な着信音楽等は慎まなければならないだろう。このような、様々な状況に応じた各種設定の切り替えは、殆どの場合、ユーザ自身が各設定項目毎に操作して設定しなければならない。
【０００３】
このような設定変更の手間の煩わしさを解消するための手段の一つに、特許文献１や特許文献２に記載されている、表示画像や着信音を時刻と対応させて設定する技術がある。以下、この技術を「時刻対応設定技術」と呼ぶこととする。
【０００４】
【特許文献１】特開２００２−１５２３４５号公報
【特許文献２】特開２００４−２３３４４号公報
【特許文献３】特開２００６−６７４４８号公報
【発明の開示】
【発明が解決しようとする課題】
【０００５】
前述の時刻対応設定技術は、予め時刻と対応する状態（表示画像や着信音など）を設定しておけば、例えば勤務時間中であればその状態に応じた設定が一括して自動的になされるので、煩わしさが一切ない。
しかし、万人が毎日規則正しい生活リズムにて生活しているわけではない。例えば勤務時間は残業をすれば遅くなるだろう。しかし、時刻対応設定技術ではそのような通常の状態とは異なる状態に対応できないので、例えば残業中に自宅の設定になってしまうことが十分あり得る。
【０００６】
複数の設定をある一つのキー操作にまとめる、という技術も考えられなくはない。例えば背景画像の設定と着信音の設定の組み合わせをある所定のキー操作に関連付けておく、という方法である。しかし、この技術では設定したい状況（職場、自宅、就寝中、通勤途中、休日等）の数が増えると、ユーザはそれらを記憶しておかなければならず、管理できずに破綻する虞がある。
【０００７】
本発明はかかる点に鑑みてなされたものであり、ユーザが容易に利用状況に応じた各種設定変更を実現できる携帯型電子機器及びその方法を提供することを目的とする。
【課題を解決するための手段】
【０００８】
上記課題を解決するための本発明は、情報タグから非接触にて情報を読み取る情報タグ読み取り部と、複数の状態が設定可能な第１の機能と、複数の状態が設定可能な第２の機能を含み、前記情報タグ読み取り部から得られた情報に応じて前記第１の機能と前記第２の機能の設定を一括して変更する制御部とを含むことを特徴とする携帯型電子機器に係るものである。
【０００９】
携帯型電子機器の直接的な操作以外に、情報タグから非接触にて所定の情報を与える手段を内蔵させる。情報タグの読み取り部を携帯型電子機器に持たせ、所定の操作や状態に置くことで情報タグ読み取り部を起動させ、近接した位置にある情報タグを読み取る。読み取った情報タグのデータに予め対応付けされている複数の機能を設定する。
【発明の効果】
【００１０】
本発明により、利用状況に応じた携帯電話の各種設定の一括変更を極めて容易に実現できると共に、設定の管理も非常に容易にできる。ユーザはこの機能によって得られる利便性により、各種設定変更を従来よりも楽しむことができる。
【発明を実施するための最良の形態】
【００１１】
以下、本発明の実施の形態を、図１〜図９を参照して説明する。
【００１２】
図１（ａ）及び（ｂ）は、本発明の一実施形態である、携帯型無線端末の外観図である。
図１（ａ）は携帯型無線端末１０１の表面の外観を示す。
携帯型無線端末１０１は周知の携帯電話である。
携帯型無線端末１０１は、周知の移動体通信電話網に無線接続する携帯電話の機能を備えている。
キーパッド１０２は電源オンオフ、電話機能等の指令や文字入力等を行うものである。また、本実施形態に係る、後述するＲＦＩＤ読み取り等の操作に用いる。
キーパッド１０２の上部中心には、本実施形態の動作のきっかけになるファンクションキー１０３が設けられている。
ＬＣＤ１０４は後述するマイクロコンピュータの制御によって所定の文字や画像等を表示するものである。
スピーカ１０５は受話音や設定される着信音を発音する。
マイク１０６は送話音を電気信号に変換する。
【００１３】
図１（ｂ）は携帯型無線端末１０１の裏面の外観を示す。
カメラ１０７は周知の撮像素子とレンズの組み合わせよりなり、携帯型無線端末１０１のオプション機能であるデジタルカメラ機能を提供するものである。
カメラ１０７のすぐ傍には、外観からはカバー１０８に隠れていて見えないものの、後述するＲＦＩＤリーダに接続されるコイルアンテナ１０９が埋め込まれている。
すなわち、携帯型無線端末１０１はＲＦＩＤリーダ機能を内蔵している。
【００１４】
ＲＦＩＤ（Radio Frequency Identification）とは、微小な無線チップにより人や物を識別・管理する技術を指す。例えば特許文献３に説明されている。
【００１５】
図２（ａ）（ｂ）は、携帯型無線端末のＲＦＩＤリーダ機能を動作させる状態を示す図である。
図２（ａ）は操作者が携帯型無線端末１０１を持ちながら、親指でファンクションキー１０３をダブルクリックする等の操作で、ＲＦＩＤリーダ機能を起動する状態を示す。ＲＦＩＤタグ２０１は粘着テープ２０２の裏側に貼付されている、超小型のチップ状回路である。すなわち、携帯型無線端末１０１はファンクションキー１０３をダブルクリックする等の所定の操作で、ＲＦＩＤリーダ機能を起動する。
図２（ｂ）は卓上ホルダ２０３である。卓上ホルダ２０３には図示しない電源端子が設けられており、携帯型無線端末１０１を卓上ホルダ２０３に収納させると、電源端子が携帯型無線端末１０１に接触し、バッテリの充電が行われる。この卓上ホルダ２０３には、携帯型無線端末１０１が収納されるとコイルアンテナ１０９に近接する位置にＲＦＩＤタグ２０４が貼付されている。携帯型無線端末１０１が卓上ホルダ２０３に収納されると、卓上ホルダ２０３の電源端子が携帯型無線端末１０１の電源端子に接触し、充電動作が開始する。充電動作が開始すると共に、所定時間内だけＲＦＩＤリーダ機能が起動される。すなわち、携帯型無線端末１０１は充電動作が開始すると、ＲＦＩＤリーダ機能を起動する。
【００１６】
図３は携帯型電話端末１０１の内部ブロック図である。
高周波部（以下「ＲＦ部」(Radio Frequency)と略）３０２は、携帯電話の通話に必要な電波の送受信(806〜960MHz、1.429〜1.516GHz、1.92〜1.98GHz或は2.11〜2.17GHz)の高周波信号処理を行う回路であり、周知の同調回路や検波回路等で構成される。
ベースバンド部３０３は主にＤＳＰ（Digital Signal Processor: 音声や画像などの処理に特化した演算処理集積回路装置）で構成される。受信電波からＲＦ部３０２によって復調された信号或はデータに所定の処理を施したり、信号或はデータに所定の処理を施し、変調させて基地局へ送信するためにＲＦ部３０２へ送出する処理等を行う。
ベースバンド部３０３には通話に必要なオーディオ信号の入出力を行うＡＦ部（Audio Frequency: オーディオ信号周波数の意）３０４が接続され、その先には通話に用いられるスピーカ１０５とマイク１０６が接続されている。
ＣＰＵ３０７、ＲＯＭ３０８及びＲＡＭ３０９は周知のマイクロコンピュータ３１０を構成し、これらはバス３１１にて共通に接続されている。バスには前述のＲＦ部３０２、ベースバンド部３０３及びＡＦ部３０４も接続されており、マイクロコンピュータ３１０の制御を受ける。
不揮発性ストレージ３１２は周知のフラッシュメモリ等にて構成され、本実施形態に係る各種設定情報のみならず、着信時再生用音楽や待ち受け時背景画像等、ユーザの任意にて使用されるデータファイルも格納される。後述するＲＦＩＤデータベースもここに格納される。
ＬＣＤ１０４はマイクロコンピュータの制御によって所定の文字や画像等を表示するものである。
キーパッド１０２は前述の通り、電源オンオフ、電話機能等の指令や文字入力等を行うものである。また、本実施形態に係る、後述するＲＦＩＤ読み取り等の操作に用いる。キーパッド１０２の操作はバス３１１を通じてマイクロコンピュータ３１０に伝達され、ＲＯＭ３０８に格納され実行されるプログラムに従い、種々の動作が実行される。
充電回路３１４はバッテリ３１５の充電制御を行う回路であり、電源端子３１６に接続されてバッテリ３１５に適切な電流を流すと共に、バッテリ３１５の残量状態及び外部電源の接続の有無の情報をバスを通じてマイクロコンピュータ３１０に報告する。
大雑把に言うならば、携帯型電話端末１０１は、マイクロコンピュータ３１０を構成するＣＰＵ３０７、ＲＯＭ３０８及びＲＡＭ３０９とその周辺回路群と有機的に結合している、情報通信端末である。
【００１７】
ＲＦＩＤリーダ３１７はコイルアンテナ１０９に接続され、ＲＦＩＤタグの情報を読み取る機能を提供する。
図４はＲＦＩＤリーダ３１７とＲＦＩＤタグの内部構成を示すブロック図である。
【００１８】
コントローラ４１６は、コマンドや情報を格納したメモリを備え、リーダ制御部４１４に指示および情報を与える。リーダ制御部４１４は、ＲＦＩＤリーダ３１７の通信制御を司り、コントローラ４１６から送られてくるコマンドや情報を変調用ビット・コーディング部４０２に送る。変調用ビット・コーディング部４０２は、入力されたコマンドや情報をＮＲＺ符号やマンチェスタ符号などの方式に従って符号化されたシリアルデータに変換する。変調回路４０４は、符号化されたデータで搬送波の変調を行う。変調された搬送波はドライバ４１０で増幅され、コイルアンテナ４１２から電波として送出される。なお、データを送出する場合は、ドライバ４１０は前もってリーダ制御部４１４によって活性化させておく。
【００１９】
ＲＦＩＤリーダ３１７から送出された電波をＲＦＩＤタグ４０１のアンテナ４６０が受信するとアンテナ４６０に誘導起電力が発生する。図示していないが、ＲＦＩＤタグ４０１に含まれる種々の回路には、この誘導起電力を整流して得られる電力が与えられる。アンテナ４６０が受信した信号は復調回路４５８で復調され、復調用ビット・コーディング部４５６で符号化されていたシリアル信号がデジタル信号に復元され、ＴＡＧ制御部４６２に入力される。ＴＡＧ制御部４６２はＲＦＩＤタグ４０１の通信制御を行い、入力された信号に基づいてメモリ４６４から所望のデータを取り出し、変調用ビット・コーディング部４５２に送る。変調用ビット・コーディング部４５２では、ＴＡＧ制御部４６２から送られてきたデータをＮＲＺ符号やマンチェスタ符号などの方式に従って符号化する。符号化されたデータは変調回路４５４で変調されアンテナ４６０から送出される。
【００２０】
ＲＦＩＤリーダ３１７は、ＲＦＩＤタグ４０１から送られてきたデータをコイルアンテナ４１２で受信し、復調回路４０８に送る。復調回路４０８で復調されたデータは復調用ビット・コーディング部４０６で符号化されていたシリアル信号がデジタルデータに復元される。復元されたデータは、リーダ制御部４１４を介してコントローラ４１６に入力され、処理される。
【００２１】
上述のように、通常ＲＦＩＤタグ４０１の電力は、アンテナ４６０から供給されているため、ＲＦＩＤタグ４０１からＲＦＩＤリーダ３１７側に信号を送信する返信方式には、電力消費量の少ない負荷変調方式が採用されている。また、ＲＦＩＤリーダ３１７側では、ＲＦＩＤタグ４０１の電力をコイルアンテナ４１２から供給するため、送電性に優れた振幅シフト・キーイング(ＡＳＫ変調)を行うのが一般的である。
【００２２】
また、ＲＦＩＤタグ４０１の電力がアンテナ４６０に発生する誘導起電力から供給されていることから、ＲＦＩＤリーダ３１７は、ＲＦＩＤタグ４０１が十分な能力にて動作するための、相応の電力を以って電波を送信しなければならない。ＲＦＩＤタグの読み取り動作は、電力を大きく消費するものである。したがって、本実施形態においては、携帯型無線端末１０１に対するユーザの操作、ならびに所定の状態に至ったことをマイクロコンピュータが検出し、所定の時間内だけＲＦＩＤリーダ３１７を稼動させる構成を採っている。本実施形態では、ユーザの操作はファンクションキー１０３のダブルクリックであり、所定の状態とは携帯型無線端末１０１の電源端子３１６に充電器を接続した時点の状態を指す。
【００２３】
図５はＲＦＩＤデータベースの内部データ構造を示す模式図である。
ＲＦＩＤデータベース５０１は第１ＤＢファイル５０２と第２ＤＢファイル５０３とで構成される。
第１ＤＢファイル５０２はテーブルを構成し、シリアル番号、ＲＦＩＤデータ、別名の三つのフィールドよりなる。
シリアル番号は１から始まる連番である。後述の第２ＤＢファイル５０３との関係付けのキーになる。
ＲＦＩＤデータはＲＦＩＤタグから読み取ったデータそのものである。
別名はユーザが任意に設定する表示名称である。
図５においては、ユーザは三つのＲＦＩＤタグを読み込ませ、それぞれに「プライベートモード」「オフィスモード」「電車内」という名称を設定している。
【００２４】
第２ＤＢファイル５０３はテーブルを構成し、シリアル番号、設定機能番号、選択番号の三つのフィールドよりなる。
シリアル番号は１から始まる連番であり、前述の第１ＤＢファイル５０２と等しい。
設定機能番号は携帯型無線端末１０１の各種設定機能を示す番号である。不揮発性メモリ内の図示しない各種設定項目の位置を示すポインタとも言える。アドレスポインタであってもよい。なお、図５中の括弧で囲んでいる設定項目名は説明の便宜上記入しているだけであり、実際の装置にはこのような文字列データは格納されていないことに注意されたい。
選択番号は設定機能番号にて示される機能の、どの選択肢を選ぶかを示す情報である。例えば待ち受け画像の設定項目では、複数ある待ち受け画像の何番目を選ぶかを示すものである。
【００２５】
第１ＤＢファイル５０２と第２ＤＢファイル５０３はシリアル番号にて関係付けられる、周知のリレーショナルデータベースを構成する。第１ＤＢファイル５０２の一つのレコードにの対応する第２ＤＢファイル５０３のレコードは複数存在する。すなわち、第１ＤＢファイル５０２と第２ＤＢファイル５０３は、一対多の対応関係を有するリレーショナルデータベースである。これは一つのＲＦＩＤデータに対して複数の設定項目を含めるために、このような構成にしている。
図５においては、第１ＤＢファイル５０２のシリアル番号１「プライベートモード」には、第２ＤＢファイル５０３内において４つの設定項目が存在する。待ち受け画面では１番目の画像を、マナーモードでは無効を示す１を、時計表示では小さいデジタル表示を示す２を、着信音では５番目の音声データを、それぞれ設定する。
また、第１ＤＢファイル５０２のシリアル番号２「オフィスモード」には、第２ＤＢファイル５０３内において２つの設定項目が存在する。待ち受け画面では２番目の画像を、マナーモードでは有効を示す２を、それぞれ設定する。
ここで、各設定項目の数はＲＦＩＤデータ毎に任意に設定できることに注目して欲しい。各設定項目は既存の設定項目を上書きする形式になっている。例えば、「プライベートモード」を設定した後で「オフィスモード」を設定すると、時計表示と着信音は上書きされず、待ち受け画面とマナーモードのみ上書きされる。更に、この場合においてはマナーモードが設定されることにより、着信音設定が実質的に無効になる。
なお、これら設定項目の設定方法を単なる上書きにするか、必ず初期状態に戻してから設定するかは、設計的事項の範疇である。
【００２６】
図６はＲＦＩＤによる各種設定項目の設定の一例として、待ち受け画面の設定メニューを示す図である。
殆どの携帯電話は機能設定の際に、待ち受け画面の状態から所定のキーを押して最上位のメニュー画面を表示し、その後所定のキーを押して所望のメニュー画面へ辿り着く、階層型メニューを構成している。その階層型メニューを操作し、ＬＣＤ１０４に待ち受け画面設定メニュー６０２に辿り着いた状態を示している。
図６において、待ち受け画面設定メニュー６０２では、５つの待ち受け画面が設定可能になっている。各欄は画像設定項目とＲＦＩＤの設定項目がある。
１番目の欄６０３において、画像設定項目６０４にはユーザがファンであるタレントの画像データファイルが設定されていると共に、ＲＦＩＤの設定項目６０５には図５のシリアル番号１番「プライベートモード」が設定されている。
２番目の欄６０６の画像設定項目６０７には、ユーザが実質的に何も設定していない状態が設定されている。また、ＲＦＩＤの設定項目６０８には図５のシリアル番号３番「電車内」が設定されている。
３番目の欄６０９の画像設定項目６１０には、ユーザが会社で仕事をしている際に無難な画像データファイルが設定されている。また、ＲＦＩＤの設定項目６１１には図５のシリアル番号２番「オフィスモード」が設定されている。
なお、１番目の欄６０３の左端にアスタリスク（「＊」）６１２が記されているのは、この項目が何も設定されていない状態（デフォルト）に用いられる背景であることを示す。どの欄をデフォルトに設定するかも、任意に設定可能である。また、図６においてはカーソルが１番目の欄６０３に位置していることから、１番目の欄６０３は他の欄とは異なる色にて表示されている。
この待ち受け画面設定メニュー６０２では、設定が完了すると、画像ファイルに関する設定情報を待ち受け画面設定情報として不揮発性ストレージの所定の場所に格納すると共に、各項目番号とＲＦＩＤデータとの対応関係を、第２ＤＢファイル５０３に記録する。
以上のように、設定したい画像データファイル名と、関係付けを設定するＲＦＩＤの表示名称（別名）を選択して設定することで、第２ＤＢファイル５０３に設定項目がレコードとして記憶される。
【００２７】
図７はＲＦＩＤタグを第１ＤＢファイル５０２に登録する手順を示すフローチャートである。
ＲＦＩＤタグの登録は、トップからカーソルキー等を操作して、階層メニュー内の所定の場所を呼び出すことで起動される。
登録機能が起動すると（Ｓ７０１）、最初にタイムアウトの時間或はリトライ回数の設定を行う（Ｓ７０２）。これは固定値でも任意に変更可能な値にしてもよい。
次にＲＦＩＤリーダ３１７を起動する（Ｓ７０３）。ＲＦＩＤリーダ３１７を起動することにより、比較的強力な電波がコイルアンテナ１０９から発される。
次に、ＲＦＩＤタグのデータが読めたか否かを見る（Ｓ７０４）。
読めたなら、すぐにＲＦＩＤリーダ３１７の動作を停止し（Ｓ７０５）、ＬＣＤにて読み取りに成功した旨の表示を行う（Ｓ７０６）。
読めなかったら、タイムアウトに至ったか、或はリトライ回数の制限に達したかを見る（Ｓ７０７）。タイムアウト或はリトライ回数の制限に達していなければ、再度読み取り動作を行う（Ｓ７０３）。時間切れ或はリトライ回数の上限に達してしまったら、ＬＣＤにて読み取りに失敗した旨のエラー表示を行い（Ｓ７０８）、終了する（Ｓ７０９）。
読めた後は、取得したＲＦＩＤタグのデータを検索キーにして、第１ＤＢファイル５０２を検索する（Ｓ７１０）。すなわち、取得したＲＦＩＤタグは既に登録済みのデータであるか否かを検証する（Ｓ７１１）。
検索の結果、同一ＲＦＩＤタグのデータのレコードがあれば、それは既に登録済みのＲＦＩＤタグデータであるので、ＬＣＤにて既に登録済みである旨のエラーメッセージを表示して（Ｓ７１２）、終了する（Ｓ７０９）。
検索の結果、同一ＲＦＩＤタグのデータのレコードがなければ、それは新規のＲＦＩＤタグデータであるので、登録を行う。先ず、ユーザに名称の入力を促す（Ｓ７１３）。なお、設定に先立ち、ユーザが名称の入力を面倒がってやらない時の代替のデフォルト名称として「名称未設定」という文字列と、０１から始まる連番を仮に割り当てておく。
ユーザが登録ボタンを押したら（Ｓ７１４）、新規のレコードを追加し（Ｓ７１５）、ＲＦＩＤタグデータの登録が正常に行われた旨のメッセージを表示して（Ｓ７１６）、終了する（Ｓ７０９）。
ユーザが取り消しボタンを押したら、何も設定せずに終了する（Ｓ７０９）。
【００２８】
図８はＲＦＩＤタグを読み取る際の操作手順を示すフローチャートである。
ＲＦＩＤタグを読み取る動作は階層メニューを辿るより簡便な操作であることが望ましい。そこで、通常の待ち受け状態において（Ｓ８０１）、ファンクションキー１０３をダブルクリックしたら（Ｓ８０２）、ＲＦＩＤタグを読み取る動作へ移行する。または、充電器に接続したことを検出したら（Ｓ８０３）、同様にＲＦＩＤタグを読み取る動作へ移行する。
ＲＦＩＤタグを読み取る動作の前に、コイルアンテナ１０９から比較的強い電波を発することから、バッテリ３１５の容量チェックを行う（Ｓ８０４）。バッテリ３１５の容量が十分あるなら、後述の読み取り機能を起動する（Ｓ８０５）。そうでなければ、バッテリ３１５の容量が不足している旨のエラーメッセージをＬＣＤに表示して（Ｓ８０６）、終了する（Ｓ８０７）。
【００２９】
図９はＲＦＩＤタグを読み取る動作を示すフローチャートである。
図８のＳ８０５において読み取り機能が起動すると（Ｓ９０１）、最初にタイムアウトの時間或はリトライ回数の設定を行う（Ｓ９０２）。これは固定値でも任意に変更可能な値にしてもよい。
次にＲＦＩＤリーダ３１７を起動する（Ｓ９０３）。ＲＦＩＤリーダ３１７を起動することにより、比較的強力な電波がコイルアンテナ１０９から発される。
次に、ＲＦＩＤタグのデータが読めたか否かを見る（Ｓ９０４）。
読めたなら、すぐにＲＦＩＤリーダ３１７の動作を停止し（Ｓ９０５）、ＬＣＤにて読み取りに成功した旨の表示を行う（Ｓ９０６）。
読めなかったら、タイムアウトに至ったか、或はリトライ回数の制限に達したかを見る（Ｓ９０７）。タイムアウト或はリトライ回数の制限に達していなければ、再度読み取り動作を行う（Ｓ９０３）。時間切れ或はリトライ回数の上限に達してしまったら、ＬＣＤにて読み取りに失敗した旨のエラー表示を行い（Ｓ９０８）、終了する（Ｓ９０９）。
読めた後は、取得したＲＦＩＤタグのデータを検索キーにして、第１ＤＢファイル５０２を検索する（Ｓ９１０）。すなわち、取得したＲＦＩＤタグが第１ＤＢファイル５０２に存在しているデータであるか否かを検証する（Ｓ９１１）。
検索の結果、該当するＲＦＩＤタグのデータのレコードがあれば、それは登録済みのＲＦＩＤタグデータであるので、ＬＣＤにて対応する名称を表示する（Ｓ９１３）。次に第１ＤＢファイル５０２のシリアル番号をキーに第２ＤＢファイル５０３を検索し、得られた機能設定項目情報にしたがって各種機能を設定する（Ｓ９１４）。全ての機能の設定が終了したなら、正常終了の旨をＬＣＤに表示して（Ｓ９１５）終了する（Ｓ９０９）。
検索の結果、該当するＲＦＩＤタグのデータのレコードがなければ、それは未登録のＲＦＩＤタグデータであるので、ＬＣＤにて未登録タグである旨のエラーメッセージを表示して（Ｓ９１２）終了する（Ｓ９０９）。
【００３０】
図１０及び図１１はＲＦＩＤタグを第１ＤＢファイル５０２に登録する際のメニュー操作の一例を示す表示画面の概略図である。
【００３１】
［登録］
図１０において、１００１は携帯電話１０１の「トップメニュー」画面である。各機能はこのトップメニューの一覧から所望の項目を選択して実行する。
１００２は「機能／設定」画面である。
１００３は「ユーザ補助」画面である。
１００５は「固有識別符号管理」画面である。ここで、本実施形態の要部に関わるＲＦＩＤタグのデータ、すなわち固有識別符号の登録、修正、削除を行うことができる。
１００７は、「固有識別符号」を登録しているときの画面である。近傍にあるＲＦＩＤタグの「固有識別符号」を認識している。
１００９は、近傍にあるＲＦＩＤタグの「固有識別符号」を認識した後、任意の名称入力を完了した後の画面である。
１０１１は、１００９の状態で「固有識別符号」の登録を完了したときの画面である。
１０１２は、１００７の状態からＲＦＩＤタグの認識に失敗したときの画面である。
【００３２】
［修正］
図１１において、１１１３は「固有識別符号修正」画面である。一覧が表示されている。ここで、本実施形態の要部に関わる、ＲＦＩＤタグの固有識別符号に対応する名称（別名）の修正を行うことができる。
１１１５は、１１１３で選択した「登録番号２」の登録情報の名称を修正する前の画面である。
１１１６は、１１１３で選択した「登録番号２」の登録情報の名称を修正した後の画面である。
１１１８は、１１１６の状態で「固有識別符号」に付している名称の修正登録を完了した時の画面である。
【００３３】
［削除］
１１１９は、「固有識別符号削除」画面である。一覧が表示されている。ここで、本実施形態の要部に関わる、ＲＦＩＤタグの固有識別符号の削除を行うことができる。
１１２１は、１１１９で選択した「登録番号２」の登録情報の削除をする前の画面である。
１１２２は、１１１９で選択した「登録番号２」の登録情報の削除を完了した時の画面である。
１１２３は、１１１９で選択した「登録番号２」の登録情報の削除を中止した時の画面である。
以上より、ユーザが必要とするＲＦＩＤタグの固有識別符号を携帯電話１０１に登録、修正、削除することができる。
【００３４】
なお、１００９、１０１１、１１１５、１１１６、１１１８、１１２１、１１２３ではＲＦＩＤタグの固有識別符号を表示しているが、これを表示しない構成にすることもできる。
また、前述の削除（１１２２）では、削除処理を実行すると、第１ＤＢファイル５０２の該当レコードを削除するのみならず、削除したレコードのシリアル番号に対応する第２ＤＢファイル５０３の各レコードを全て削除する処理が必要になる。
【００３５】
図１２は、本実施形態にて説明したＲＦＩＤタグによる連動機能を、携帯電話１０１全体において有効／無効設定する際のメニュー操作の一例を示す表示画面の概略図である。
本実施形態では、携帯電話１０１は登録されたＲＦＩＤタグの固有識別符号の検出に応じて、各種端末設定の変更機能を、一括して有効にしたり無効にしたりできる。
１２０１は携帯電話１０１の「トップメニュー」画面である。各機能はこのトップメニューの一覧から所望の項目を選択して実行する。
１２０２は「機能／設定」画面である。
１２０３は「ユーザ補助」画面である。
１２０４は「ＩＣタグ連動」設定画面である。ここで本実施形態の要部に関わる、ＲＦＩＤタグ（ＩＣタグ）の固有識別符号に連動して、各種端末設定を自動的に切り替えるか否かを設定することができる。
１２０５は、１２０４で「ＩＣタグ連動」を有効にしたときの画面である。
１２０６は、１２０４で「ＩＣタグ連動」を無効にしたときの画面である。
以上より、ユーザがＲＦＩＤタグの固有識別符号を各種端末設定の切り替えに用いるか否かを一括して設定することができる。
【００３６】
図１３は、本実施形態にて説明したＲＦＩＤタグによる連動機能を、待ち受け画面設定などの各種端末設定において個別に有効／無効設定する際のメニュー操作の一例を示す表示画面の概略図である。
本実施形態では、携帯電話１０１は登録されたＲＦＩＤタグの固有識別符号の検出に応じて、各種端末設定の変更機能を、各種設定や機能毎に個別に有効にしたり無効にしたりできる。
１３０１は携帯電話１０１の「トップメニュー」画面である。各機能はこのトップメニューの一覧から所望の項目を選択して実行する。
１３０２は「機能／設定」画面である。
１３０３は「画面設定」画面である。
１３０４は「メインディスプレイ」に関する設定画面である。
１３０８は「待受画面」設定画面である。ここで、本実施形態の要部に関わる、ＲＦＩＤタグの固有識別符号に連動して「待受画面」を自動的に切り替えるか否かを設定することができる。ここではＲＦＩＤタグ連動機能を有効に設定しようとしている。
１３０９は、１３０８で「ＩＣタグ連動」設定を有効にした時の画面である。
１３１０は、１３０９同様の「待受画面」設定画面である。ここではＲＦＩＤタグ連動機能を無効に設定しようとしている。
１３１１は、１３１０で「ＩＣタグ連動」設定を無効にした時の画面である。
以上より、ユーザがＲＦＩＤタグの固有識別符号を、個別の各種端末設定の切り替えに用いるかどうかを設定することができる。ここで個別に有効設定されていても、前述の１２０６で「ＩＣタグ連動」機能自体が無効に設定されている場合は、「ＩＣタグ連動」機能は働かないものとする。
【００３７】
以上に説明したことをまとめる。
本実施形態の携帯型無線端末１０１は、内部にＲＦＩＤリーダ３１７を装備する。
マイクロコンピュータ３１０は、キーパッド１０２のファンクションキー１０３のダブルクリックか、卓上ホルダ２０３に載置して充電器を電源端子３１６に接続することのいずれかのトリガを検出し、ＲＦＩＤリーダ３１７を起動し、コイルアンテナ１０９から電波を発する。
ＲＦＩＤタグ２０１及び２０４は、近接しているコイルアンテナ１０９から発される電波を受けて、誘導起電力を得て、ＲＦＩＤタグ内部の情報を送信する。
ＲＦＩＤリーダ３１７はＲＦＩＤタグから発される情報を読み取り、マイクロコンピュータ３１０に送出する。
マイクロコンピュータ３１０は得られたＲＦＩＤタグの情報をキーとして、不揮発性ストレージ３１２中のＲＦＩＤデータベースを検索し、登録されているＲＦＩＤタグであれば、予め設定済みの設定項目を設定する。
【００３８】
ＲＦＩＤタグはユーザが自己の生活環境に適した場所に貼付すると良いだろう。
例えば、職場にあっては自分の机の片隅に貼付しておき、出勤直後にはその机にてファンクションキー１０３をダブルクリックしてＲＦＩＤリーダ３１７を起動すれば、瞬時に職場の設定に切り替わってくれる。
【００３９】
本実施形態には、以下のような応用例が考えられる。
（１）ＲＦＩＤタグと時刻とを複合的な条件として取り扱うことも可能である。例えば自宅の充電器に接続した時点で、就寝するであろう時刻である２３時以前の状態と２３時以降の状態を区別して登録を行うものである。第２ＤＢファイル５０３に設定開始時刻と終了時刻のフィールドをそれぞれ追加し、マイクロコンピュータ３１０はそれら情報を読み取って、指定時刻情報を伴うＲＦＩＤを読み込んだら、時刻に応じた設定変更を行う。
（２）第２ＤＢファイル５０３には、設定機能番号と選択番号の代わりに、ユーザのキー操作を模倣するシーケンス情報を格納することも可能である。いわゆる「キーマクロ」と呼ばれる機能である。
【００４０】
本実施形態においては、ユーザの利用状況に応じた、携帯型無線端末１０１の各種設定の一括変更を極めて容易に実現できると共に、設定の管理も非常に容易にできる。ユーザはこの機能によって得られる利便性により、各種設定変更を従来よりも楽しむことができる。
【図面の簡単な説明】
【００４１】
【図１】本発明の一実施の形態による携帯型無線端末の外観図である。
【図２】本発明の一実施の形態による携帯型無線端末の使用状態を示す図である。
【図３】本発明の一実施の形態による携帯型無線端末のブロック図である。
【図４】ＲＦＩＤリーダとＲＦＩＤタグのブロック図である。
【図５】ＲＦＩＤデータベースの内部構成図である。
【図６】待ち受け画面設定メニューの状態を示す模式図である。
【図７】ＲＦＩＤタグ登録機能を説明するフローチャートである。
【図８】ＲＦＩＤタグ読み取り操作を説明するフローチャートである。
【図９】ＲＦＩＤタグ読み取り機能を説明するフローチャートである。
【図１０】ＲＦＩＤタグを登録する際のメニュー操作の一例を示す表示画面の概略図である。
【図１１】ＲＦＩＤタグを登録する際のメニュー操作の一例を示す表示画面の概略図である。
【図１２】ＲＦＩＤタグによる連動機能を一括で有効或は無効に設定する際のメニュー操作の一例を示す表示画面の概略図である。
【図１３】ＲＦＩＤタグによる連動機能を機能毎に個別に有効或は無効に設定する際のメニュー操作の一例を示す表示画面の概略図である。
【符号の説明】
【００４２】
１０１…携帯型電話端末、１０２…キーパッド、１０３…ファンクションキー、１０４…ＬＣＤ、１０５…スピーカ、１０６…マイク、１０７…カメラ、１０８…カバー、１０９…コイルアンテナ、２０１，２０４…ＲＦＩＤタグ、２０３…卓上ホルダ、３０２…ＲＦ部、３０３…ベースバンド部、３０４…ＡＦ部、３０７…ＣＰＵ、３０８…ＲＯＭ、３０９…ＲＡＭ、３１０…マイクロコンピュータ、３１１…バス、３１２…不揮発性ストレージ、３１４…充電回路、３１５…バッテリ、３１６…電源端子、３１７…ＲＦＩＤリーダ
【図１】
2007329859.tif 000003
【図２】
2007329859.tif 000004
【図３】
2007329859.tif 000005
【図４】
2007329859.tif 000006
【図５】
2007329859.tif 000007
【図６】
2007329859.tif 000008
【図７】
2007329859.tif 000009
【図８】
2007329859.tif 000010
【図９】
2007329859.tif 000011
【図１０】
2007329859.tif 000012
【図１１】
2007329859.tif 000013
【図１２】
2007329859.tif 000014
【図１３】
2007329859.tif 000015